(57)【要約】【課題】繊維状抗張力体をツイストさせずに引き留める。【解決手段】光ファイバを有する光ケーブルを把持する把持部材と、前記把持部材を固定する固定部を有するハウジングと、を備えた光コネクタであって、前記把持部材は、一対の側壁部を有する本体部と、前記本体部に取り付けるキャップとを有し、前記側壁部には、前記光ケーブルの繊維状抗張力体を内側から外側に出すためのスリットが形成されており、前記本体部に対して前記キャップをスライドさせることによって、前記側壁部の外面と前記キャップの内面との間に前記繊維状抗張力体を挟み込んだ状態で、前記本体部に前記キャップを取り付け可能である。【選択図】図３
2019086571.tif 000002
【特許請求の範囲】
【請求項１】
光ファイバを有する光ケーブルを把持する把持部材と、
前記把持部材を固定する固定部を有するハウジングと、
を備えた光コネクタであって、
前記把持部材は、一対の側壁部を有する本体部と、前記本体部に取り付けるキャップとを有し、
前記側壁部には、前記光ケーブルの繊維状抗張力体を内側から外側に出すためのスリットが形成されており、
前記本体部に対して前記キャップをスライドさせることによって、前記側壁部の外面と前記キャップの内面との間に前記繊維状抗張力体を挟み込んだ状態で、前記本体部に前記キャップを取り付け可能である、
ことを特徴とする光コネクタ。
【請求項２】
請求項１に記載の光コネクタであって、
前記ハウジングの前記固定部に対して前記把持部材をスライドさせることによって、前記キャップの外面と前記固定部の内面との間に前記繊維状抗張力体を挟み込んだ状態で、前記固定部に前記把持部材を固定可能である、
ことを特徴とする光コネクタ。
【請求項３】
請求項２に記載の光コネクタであって、
前記本体部に段差部が形成されており、前記段差部と前記キャップの端面との間において、前記側壁部の外面と前記キャップの内面との間で挟まれた前記繊維状抗張力体が折り返されて、前記キャップの外面と前記固定部の内面との間で前記繊維状抗張力体が挟み込まれる、
ことを特徴とする光コネクタ。
【請求項４】
請求項３に記載の光コネクタであって、
前記段差部と前記キャップの端面との間において、折り返された前記繊維状抗張力体が挟み込まれる、
ことを特徴とする光コネクタ。
【請求項５】
請求項１〜４の何れかに記載の光コネクタであって、
前記繊維状抗張力体を挟み込む部位に、摩擦力を増す、滑り止め剤が塗布されている
ことを特徴とする光コネクタ。
【請求項６】
請求項１〜５の何れかに記載の光コネクタであって、
前記本体部と前記キャップのそれぞれにキャップ用固定部を有する、
ことを特徴とする光コネクタ。
【請求項７】
請求項１〜６の何れかに記載の光コネクタであって、
前記ハウジングと前記本体部のそれぞれに係合部を有する、
ことを特徴とする光コネクタ。
【請求項８】
請求項１〜７の何れかに記載の光コネクタであって、
前記一対の側壁部の内面に、内側に突出する突起部が形成されている、
ことを特徴とする光コネクタ。
【請求項９】
請求項１〜８の何れかに記載の光コネクタであって、
前記光ケーブルの前記繊維状抗張力体の量に応じた前記キャップを複数有する、
ことを特徴とする光コネクタ。
【請求項１０】
請求項９に記載の光コネクタであって、
複数の前記キャップは一体成型によって形成されている
ことを特徴とする光コネクタ
【請求項１１】
請求項１〜８の何れかに記載の光コネクタであって、
前記本体部と前記キャップが予め連結されている
ことを特徴とする光コネクタ。
【請求項１２】
光ファイバを有する光ケーブルを把持する把持部を備えた把持部材であって、
一対の側壁部を有する本体部と、前記本体部に取り付けるキャップとを有し、
前記側壁部には、前記光ケーブルの繊維状抗張力体を内側から外側に出すためのスリットが形成されており、
前記本体部に対して前記キャップをスライドさせることによって、前記側壁部の外面と前記キャップの内面との間に前記繊維状抗張力体を挟み込んだ状態で、前記本体部に前記キャップを取り付け可能である、
ことを特徴とする把持部材。
【請求項１３】
光ケーブルを保持した把持部材を光コネクタの本体部に挿入することによって前記光コネクタを組み立てる光コネクタ製造方法であって、
前記把持部材は、一対の側壁部を有する本体部と、前記本体部に取り付けるキャップとを備えており、
前記本体部の前記一対の側壁部の間に前記光ケーブルを収容するとともに、前記側壁部に形成されたスリットを介して、前記光ケーブルの繊維状抗張力体を前記一対の側壁部の内側から外側に出す工程と、
前記本体部に対して前記キャップをスライドさせることによって、前記側壁部の外面と前記キャップの内面との間に前記繊維状抗張力体を挟み込んだ状態で、前記本体部に前記キャップを取り付ける工程と、
を行うことを特徴とする光コネクタ製造方法。
【発明の詳細な説明】
【技術分野】
【０００１】
本発明は、光コネクタ、把持部材、及び、光コネクタの製造方法に関する。
【背景技術】
【０００２】
光ファイバの端面同士を突き合わせることによって光ファイバを接続する装置として、例えば現場組立型光コネクタが知られている。現場組立型光コネクタは、光ファイバ敷設現場において光ケーブル（角型光ケーブルや丸型光コードを含む）の端末に容易に組み立て可能な構造の光コネクタである。組立前の光コネクタのフェルールには、工場にて予め内蔵ファイバが取り付けられているとともに、内蔵ファイバの端部はメカニカルスプライス部に配置されている。組み立て作業現場において、把持部材に光ケーブルを把持させるとともに、光ケーブルから口出しされた挿入ファイバの端部がメカニカルスプライス部に挿入され、メカニカルスプライス部において光ファイバ同士が突き合わせ接続されることになる。
【０００３】
特許文献１には、外周面にネジ部の形成された固定部に固定キャップをネジ留めし、光ケーブル（光コードを含む）の繊維状抗張力体を固定部と固定キャップとの間に挟み込むことによって、光ケーブルの繊維状抗張力体を引き留めることが記載されている。
【先行技術文献】
【特許文献】
【０００４】
【特許文献１】国際公開第２０１０／０９２６５７号
【発明の概要】
【発明が解決しようとする課題】
【０００５】
特許文献１記載の技術では、繊維状抗張力体を引き留める際に固定キャップをネジ留めするため、固定キャップに挟み込まれた繊維状抗張力体がツイストしてしまう。この結果、光コネクタに引き留められた光ケーブルに予期せぬ負荷がかかるおそれがある。
【０００６】
本発明は、繊維状抗張力体をツイストさせずに引き留める構造を提供することを目的とする。
【課題を解決するための手段】
【０００７】
上記目的を達成するための主たる発明は、光ファイバを有する光ケーブルを把持する把持部材と、前記把持部材を固定する固定部を有するハウジングと、を備えた光コネクタであって、前記把持部材は、一対の側壁部を有する本体部と、前記本体部に取り付けるキャップとを有し、前記側壁部には、前記光ケーブルの繊維状抗張力体を内側から外側に出すためのスリットが形成されており、前記本体部に対して前記キャップをスライドさせることによって、前記側壁部の外面と前記キャップの内面との間に前記繊維状抗張力体を挟み込んだ状態で、前記本体部に前記キャップを取り付け可能であることを特徴とする光コネクタである。
【０００８】
本発明の他の特徴については、後述する明細書及び図面の記載により明らかにする。
【発明の効果】
【０００９】
本発明によれば、繊維状抗張力体をツイストさせずに引き留めることができる。
【図面の簡単な説明】
【００１０】
【図１】図１Ａは、光コネクタ１００の斜視図である。図１Ｂは、光コネクタ１００の分解斜視図である。
【図２】図２Ａは、把持部材３０の斜視図であり、図２Ｂは、把持部材３０の分解斜視図である。
【図３】、図３Ａ〜図３Ｃは、把持部材３０の説明図である。図３Ａは、把持部材３０を上から見た図であり、後側ハウジング１５の固定部１５２とキャップ５０は断面図で示している。図３Ｂは、光コード６を把持した状態の説明図である。図３Ｃは、光ケーブル３を把持した状態の説明図である。
【図４Ａ】丸型光ケーブル６を用いた場合の光コネクタ１００の組立方法の説明図である。
【図４Ｂ】丸型光ケーブル６を用いた場合の光コネクタ１００の組立方法の説明図である。
【図４Ｃ】丸型光ケーブル６を用いた場合の光コネクタ１００の組立方法の説明図である。
【図５Ａ】角型光ケーブル３を用いた場合の光コネクタ１００の組立方法の説明図である。
【図５Ｂ】角型光ケーブル３を用いた場合の光コネクタ１００の組立方法の説明図である。
【図６】第２実施形態のキャップ５０の構成の説明図である。
【図７】第３実施形態の把持部材３０の説明図である。
【発明を実施するための形態】
【００１１】
後述する明細書及び図面の記載から、少なくとも以下の事項が明らかとなる。
【００１２】
光ファイバを有する光ケーブルを把持する把持部材と、前記把持部材を固定する固定部を有するハウジングと、を備えた光コネクタであって、前記把持部材は、一対の側壁部を有する本体部と、前記本体部に取り付けるキャップとを有し、前記側壁部には、前記光ケーブルの繊維状抗張力体を内側から外側に出すためのスリットが形成されており、前記本体部に対して前記キャップをスライドさせることによって、前記側壁部の外面と前記キャップの内面との間に前記繊維状抗張力体を挟み込んだ状態で、前記本体部に前記キャップを取り付け可能であることを特徴とする光コネクタが明らかとなる。このような光コネクタによれば、繊維状抗張力体をツイストさせずに引き留めることができる。
【００１３】
前記ハウジングの前記固定部に対して前記把持部材をスライドさせることによって、前記キャップの外面と前記固定部の内面との間に前記繊維状抗張力体を挟み込んだ状態で、前記固定部に前記把持部材を固定可能であることが望ましい。これにより、把持部材を外側から押圧することができ、把持部材による繊維状抗張力体の把持力を高めることができる。
【００１４】
前記本体部に段差部が形成されており、前記段差部と前記キャップの端面との間において、前記側壁部の外面と前記キャップの内面との間で挟まれた前記繊維状抗張力体が折り返されて、前記キャップの外面と前記固定部の内面との間で前記繊維状抗張力体が挟み込まれることが望ましい。これにより、繊維状抗張力体の把持力をより高めるができる。
【００１５】
前記段差部と前記キャップの端面との間において、折り返された前記繊維状抗張力体が挟み込まれることが望ましい。これにより、繊維状抗張力体の引き留め力をさらに高めることができる。
【００１６】
前記繊維状抗張力体を挟み込む部位に、摩擦力を増す、滑り止め剤が塗布されていることが望ましい。これにより、繊維状抗張力体の滑りを防止でき、引き留め力を高めることができる。
【００１７】
前記本体部と前記キャップのそれぞれにキャップ用固定部を有することが望ましい。これにより、側壁部の外面とキャップの内面との間に繊維状抗張力体を挟み込んだ状態で本体部とキャップとを固定することができる。
【００１８】
前記ハウジングと前記本体部のそれぞれに係合部を有することが望ましい。これにより、ハウジングと本体部とを固定することができる。
【００１９】
前記一対の側壁部の内面に、内側に突出する突起部が形成されていることが望ましい。これにより、突起部を光ケーブルの外被に食い込ませて、光ケーブルを把持することができる。特に、角型光ケーブルの把持力を高めることができる。
【００２０】
前記光ケーブルの前記繊維状抗張力体の量に応じた前記キャップを複数有することが望ましい。これにより、光ケーブルの種類に対する対応性を高めることができる。
【００２１】
複数の前記キャップは一体成型によって形成されていることが望ましい。これにより、コストを低減することができる。
【００２２】
前記本体部と前記キャップが予め連結されていることが望ましい。これにより、キャップを紛失しにくくすることができる。
【００２３】
また、光ファイバを有する光ケーブルを把持する把持部を備えた把持部材であって、一対の側壁部を有する本体部と、前記本体部に取り付けるキャップとを有し、前記側壁部には、前記光ケーブルの繊維状抗張力体を内側から外側に出すためのスリットが形成されており、前記本体部に対して前記キャップをスライドさせることによって、前記側壁部の外面と前記キャップの内面との間に前記繊維状抗張力体を挟み込んだ状態で、前記本体部に前記キャップを取り付け可能であることを特徴とする把持部材が明らかとなる。
【００２４】
また、光ケーブルを保持した把持部材を光コネクタの本体部に挿入することによって前記光コネクタを組み立てる光コネクタ製造方法であって、前記把持部材は、一対の側壁部を有する本体部と、前記本体部に取り付けるキャップとを備えており、前記本体部の前記一対の側壁部の間に前記光ケーブルを収容するとともに、前記側壁部に形成されたスリットを介して、前記光ケーブルの繊維状抗張力体を前記一対の側壁部の内側から外側に出す工程と、前記本体部に対して前記キャップをスライドさせることによって、前記側壁部の外面と前記キャップの内面との間に前記繊維状抗張力体を挟み込んだ状態で、前記本体部に前記キャップを取り付ける工程と、を行うことを特徴とする光コネクタ製造方法が明らかとなる。
【００２５】
＝＝＝＝第１実施形態＝＝＝
＜基本構成＞
図１Ａは、光コネクタ１００の斜視図である。図１Ｂは、光コネクタ１００の分解斜視図である。以下の説明では、図１Ａに示すように光ケーブルや光ファイバの光軸方向を「前後方向」とし、光ケーブルの延び出た側を「後」とし、逆側（光コネクタ１００のフェルール１１の端面側）を「前」とする。
【００２６】
本実施形態の光コネクタ１００は、メカニカルスプライス法により光ファイバを接続する現場組立型光コネクタであり、光ケーブルの端末に組み立てられる光コネクタである。また、本実施形態の光コネクタ１００は、ＳＣ形光コネクタよりも小型で高密度実装が可能なＬＣ形光コネクタである。
【００２７】
光コネクタ１００は、光コネクタ本体１０と、把持部材３０と、光ケーブル（角形光ケーブル３、丸型光ケーブル６）とを備えている。
【００２８】
光コネクタ本体１０は、フェルール１１と、メカニカルスプライス部１２と、ハウジング１３と、スプリング１６と、介挿部材１９とを有している。
【００２９】
フェルール１１は、ここでは単心光コネクタに使用される円筒形状のフェルールである。
【００３０】
メカニカルスプライス部１２は、メカニカルスプライス法により内蔵ファイバ（不図示）と挿入ファイバ（角型光ケーブル３の光ファイバ４や丸型光ケーブル６の光ファイバ７）とを軸合わせ（調心）するとともに、内蔵ファイバ及び挿入ファイバを固定する部材（光ファイバ接続装置）である。内蔵ファイバの前端は、フェルール１１に内挿固定されるとともに、フェルール１１とともに端面が研磨されている。内蔵ファイバの後端は、メカニカルスプライス部１２に配置されている。
【００３１】
また、メカニカルスプライス部１２は、後端に開口部１２Ａを有している。開口部１２Ａは、挿入ファイバの挿入口である。
【００３２】
ハウジング１３は、前側ハウジング１４と後側ハウジング１５を備えている。
【００３３】
前側ハウジング１４は、ハウジング１３の前側を構成する部位であり、前側収容部１４Ａを有している。前側収容部１４Ａは、メカニカルスプライス部１２の前側部分を収容する部位である。
【００３４】
後側ハウジング１５は、ハウジング１３の後側を構成する部位である。後側ハウジング１５は、後側収容部（不図示）と、固定部１５２とを有している。
【００３５】
後側収容部は、メカニカルスプライス部１２の後側部分を収容する部位であり、後側ハウジング１５の前側に設けられている。
【００３６】
固定部１５２は、把持部材３０を固定する部位であり、後側ハウジング１５の後側に配置されている。固定部１５２は、図１Ａに示すように、内壁面１５Ａと、係止部１５Ｂとを有している。
【００３７】
内壁面１５Ａは、固定部１５２の内側の面であり、把持部材３０を収容するための収容空間を形成する面である。このため、内壁面１５Ａは、把持部材３０の外形（断面矩形状）に対応する矩形状に形成されている。上記の収容空間は、固定部１５２の後端面で開口しており、この開口から把持部材３０を挿入することになる。内壁面１５Ａは、把持部材３０を前後方向にスライドさせるスライド面となる。
【００３８】
また、固定部１５２に把持部材３０を挿入したとき、内壁面１５Ａは、把持部材３０を外側から押圧する。これにより、丸型光ケーブル６の場合、把持部材３０による繊維状抗張力体８の把持力が向上する。また、把持部材３０の本体部４０とキャップ５０との間で繊維状抗張力体８を挟み込む力が向上する。また、角形光ケーブル３の場合、把持部材３０の側壁部４２（後述）を内側に圧迫して、側壁部４２の間で角形光ケーブル３の外被を挟み込む力が向上する。
【００３９】
また、固定部１５２の内壁面１５Ａは、丸型光ケーブル６に対して、把持部材３０（詳しくはキャップ５０）との間で、繊維状抗張力体８を挟み込む機能も有する。
【００４０】
係止部１５Ｂ（係合部に相当）は、固定部１５２の側壁に形成されている。係止部１５Ｂは、把持部材３０の側壁に形成された爪部４４１（後述）を係止する。
【００４１】
スプリング１６は、後退可能に収容されたフェルール１１を前側に付勢するための部材である。
【００４２】
介挿部材１９は、光コネクタ本体１０のメカニカルスプライス部１２の隙間を開閉させる部材である。光コネクタ本体１０には挿通穴（不図示）が形成されており、この挿通穴に、介挿部材１９から延び出たくさび（不図示）が挿通される。
【００４３】
把持部材３０は、光ケーブルを把持する部材である。把持部材３０は、光ケーブルを把持した状態で光コネクタ本体１０の固定部１５２に挿入される。本実施形態の把持部材３０は、光ケーブルとして、角型光ケーブル３及び丸型光ケーブル６を把持可能である。本実施形態の把持部材３０の構成については後述する。
【００４４】
角形光ケーブル３は、例えば、ドロップケーブルやインドアケーブルなどのケーブルである。角形光ケーブル３は、光ファイバ４と一対の線状の抗張力体とを外被で一括被覆した断面角型の光ケーブルである。このような角形光ケーブル３は、外被が比較的硬いので、把持部材３０の突起部４２１（後述）を外被に食い込ませて光ケーブル３を把持することが比較的容易である。以下の説明では、角型光ケーブル３のことを単に「光ケーブル３」と呼ぶことがある。
【００４５】
丸型光ケーブル６は、光ファイバ７の周囲に繊維状抗張力体８を配置して外被で被覆した断面丸型の光ケーブルである。繊維状抗張力体８は、例えばケブラー（登録商標）である。以下の説明では、丸型光ケーブル６のことを「光コード６」と呼ぶことがある。このような光コード６は、外被が柔らかいので光ケーブル３のように、外被を把持して引き留めることが難しい。このため、把持部材３０に繊維状抗張力体８を把持させることによって、光コード６を光コネクタ１００に引き留めている。
【００４６】
＜把持部材３０の構成＞
図２Ａは、把持部材３０の斜視図であり、図２Ｂは、把持部材３０の分解斜視図である。また、図３Ａ〜図３Ｃは、把持部材３０の説明図である。図３Ａは、把持部材３０を上から見た図であり、後側ハウジング１５の固定部１５２とキャップ５０は断面図で示している。図３Ｂは、光コード６を把持した状態の説明図である。図３Ｃは、光ケーブル３を把持した状態の説明図である。以下の説明では図に示すように、左右方向と上下方向を定義する。すなわち、突起部４２１の稜線方向を「上下方向」とし、突起部４２１に対して底壁部４１の側を「下」とし、反対側（開放側）を上とする。また、前後方向及び上下方向に垂直な方向を「左右方向」とし、後側から前側を見たときの右側を「右」とし、左側を「左」とする。
【００４７】
本実施形態の把持部材３０は、本体部４０とキャップ５０を備えている。
【００４８】
本体部４０は、把持部材３０の本体を構成する部位であり、把持部４０Ａと挿通部４０Ｂを有している。
【００４９】
把持部４０Ａは、光ケーブル３や光コード６を把持する部位であり、本体部４０の後側に設けられている。把持部４０Ａは、底壁部４１と、一対の側壁部４２を有している。
【００５０】
底壁部４１は、把持部４０Ａの下部（底部）を構成する部位である。
【００５１】
一対の側壁部４２は、底壁部４１の左右の両端から立設している。一対の側壁部４２は、それぞれ、突起部４２１と、キャップ用爪部４２２と、スリット４２３と、把持部外面４２４と、段差部４２５とを有している。
【００５２】
突起部４２１は、側壁部４２の対向する面（内面）から内側に突出し、上下方向に沿った突起（鬼目）である。突起部４２１は、上から見たとき、突出側（内側）が鋭くなるように断面略三角形に形成されている。突起部４２１の稜線は、上下方向に平行である。一方の側壁部４２の突起部４２１は、他方の側壁部４２の突起部４２１と対向するように配置されている。光ケーブル（光ケーブル３や光コード６）を一対の側壁部４２の間に収容すると、突起部４２１が光ケーブルの外被に食い込む。但し、光コード６の場合は、前述したように、光ケーブル３と比べて外皮が柔らかいため、十分な把持力が得られにくい。
【００５３】
キャップ用爪部４２２（キャップ用固定部に相当）は、キャップ５０を固定させるための部位である。キャップ５０を取り付けたときに、キャップ用爪部４２２は、キャップ５０の係合穴５３Aと係合する。
【００５４】
スリット４２３は、一対の側壁部４２の内側から外側に繊維状抗張力体８を排出させるための溝状の部位である。
【００５５】
把持部外面４２４は、一対の側壁部４２の外側の面である。把持部外面４２４は、キャップ５０の内面（後述するキャップ内面５３Ｂ）から押圧される面である。キャップ５０から押されることによって、把持部外面４２４は、一対の側壁部４２を内側に変形させ、左右の突起部４２１を光ケーブル３や光コード６の外被に食い込ませる。これにより各光ケーブル（特に光ケーブル３）の把持力が向上する。また、光コード６の場合、把持部外面４２４は、キャップ５０との間で繊維状抗張力体８を挟み込む部位となる。当該部位の位置は、把持部外面４２４のうち、スリット４２３よりも前側の側壁部４２の外面である（図３Ｂ参照）。
【００５６】
段差部４２５は、光コード６を把持する場合に、キャップ５０の前端面５０Ｂとの間で繊維状抗張力体８を挟み込む部位である。段差部４２５は、把持部外面４２４の前端に設けられている。また、段差部４２５は、把持部４０Ａと挿通部４２Ｂとの間（境界）に設けられている。
【００５７】
挿通部４０Ｂは、光ファイバ（光ケーブル３の光ファイバ４や、光コード６の光ファイバ７）を挿通させる部位であり、把持部４０Ａよりも前側に設けられている。挿通部４０Ｂは、底壁部４３と、一対の側壁部４４と、を有する。
【００５８】
底壁部４３は、把持部４０Ａの底壁部４１と連続した部位であり、挿通部４０Ｂの下部（底部）を構成する。
【００５９】
一対の側壁部４４は、底壁部４３の左右両端に立設している。また、一対の側壁部４４には爪部４４１（係合部に相当）が設けられている。
【００６０】
爪部４４１は、一対の側壁部４４の外側の面にそれぞれ設けられている。把持部材３０を光コネクタ本体１０の後側ハウジング１５の固定部１５２に挿入すると、把持部外面４２４が固定部１５２の係止部１５Ｂに引っ掛かる。これにより、把持部材３０を光コネクタ本体１０に固定することができる。
【００６１】
キャップ５０は、本体部４０の把持部４０Ａと嵌合し、把持部４０Ａを覆う部材である。キャップ５０は、筒部５０Ａと、前端面５０Ｂと、後板部５０Ｃとを有している。
【００６２】
筒部５０Ａは、キャップ５０の筒状の部位である。本実施形態の筒部５０Ａは、角筒状に形成されており、上板部５１と、底板部５２と、一対の側板部５３とを有している。
【００６３】
上板部５１は、キャップ５０の上部を構成する板状の部位である。
【００６４】
底板部５２は、キャップ５０の下部（底部）を構成する板状の部位である。
【００６５】
一対の側板部５３は、キャップ５０の左右の両側部を構成する板状の部位である。一対の側板部５３は、把持部４０Ａの一対の側壁部４２を外側から押圧する。また、一対の側板部５３は、光コネクタ本体１０（後側ハウジング１５）の固定部１５２の内壁面１５Ａから押圧力を受ける。
【００６６】
また、一対の側板部５３は、それぞれ、係合穴５３A（キャップ用固定部に相当）と、キャップ内面５３Ｂとを有している。
【００６７】
係合穴５３Aは、本体部４０の把持部４０Ａのキャップ用爪部４２２と係合する。これにより、本体部４０にキャップ５０が固定される。
【００６８】
キャップ内面５３Ｂは、一対の側板部５３の対向する面（内面）であり、把持部４０Ａの一対の側壁部４２の外面（把持部外面４２４）を外側から押圧する面である。このように、キャップ内面５３Ｂが把持部４０Ａの一対の側壁部４２の把持部外面４２４を押圧することにより、把持力が向上する。また、把持力が向上することにより、光コネクタ本体１０のハウジング１３（後側ハウジング１５）の固定部１５２からの押圧力を小さく設定できるようになるため、ハウジング１３（後側ハウジング１５）の肉厚を薄くできる。
【００６９】
また、光ケーブル３の場合、キャップ内面５３Ｂ（側板部５３の内面、特に把持部外面４２４と対向する内面）は、把持部４０Ａの一対の側壁部４２を外側から押圧し、一対の側壁部４２を内側に変形させ、左右の突起部４２１を光ケーブル３の外被に食い込ませる。これにより、光ケーブル３の把持力が向上する。
【００７０】
また、光コード６の場合、キャップ内面５３Ｂのうち、スリット４２３よりも前側の側壁部４２（把持部外面４２４）と対向する部位は、本体部４０の把持部外面４２４との間で繊維状抗張力体８を挟み込む部位となる（図３Ｂ参照）。
【００７１】
なお、筒部５０Ａの内面は、本体部４０の把持部４０Ａの外形に適合した形状に構成されている。これにより、本体部４０の把持部４０Ａに対して、キャップ５０をスライド移動（平行移動）させることができる。本実施形態では、筒部５０Ａが角筒状に形成されているため、キャップ５０をスライドさせたときに、キャップ５０が把持部４０Ａに対して回転しない。これにより、繊維状抗張力体８のツイストを防止することができる。
【００７２】
キャップ外面５３Ｃは、一対の側板部５３の外側の面（外面）であり、光コネクタ本体１０の固定部１５２の内壁面１５Ａから押圧力を受ける面である。また、光コード６の場合に、光コネクタ本体１０（後側ハウジング１５の固定部１５２）との間で繊維状抗張力体８を挟み込む部位である。
【００７３】
前端面５０Ｂは、筒部５０Ａ前側の端面である。前端面５０Ｂは、光コード６の場合に、本体部４０の段差部４２５との間で、繊維状抗張力体８を挟み込む部位である。
【００７４】
後板部５０Ｃは、筒部５０Ａの後側の部位であり、挿通穴５５が前後方向に貫通して設けられている。挿通穴５５は、光ケーブル３や光コード６を挿通させるための穴である。
【００７５】
また、図３Ｂ及び図３Ｃに示すように、本体部４０とキャップ５０とハウジング１３（後側ハウジング１５）とによって、第１嵌合部６１と、第２嵌合部６２と、突き当て部（折り返し部）６３が形成されている。
【００７６】
第１嵌合部６１は、本体部４０の把持部外面４２４と、キャップ５０のキャップ内面５３Ｂで構成されている。第１嵌合部６１は、キャップ内面５３Ｂで把持部外面４２４を外側から押圧（圧迫）する。これにより、光ケーブル３の場合、一対の側壁部４２を内側に変形させ、左右の突起部４２１が光ケーブル３の外被に食い込む。よって光ケーブル３の把持力が向上する。また、光コード６の場合、把持部外面４２４とキャップ内面５３Ｂとの間で、繊維状抗張力体８を挟み込む。
【００７７】
なお、光ケーブル（角型光ケーブル３や丸型光ケーブル６）の種類（外形形状）に応じて、第１嵌合部６１の寸法Ａ，Ｘ（図３Ａ参照）が異なる。また、光コード６の場合、仮に外形形状が同じであっても、繊維状抗張力体８の量に応じて第１嵌合部６１の寸法Ａ，Ｘ（図３Ａ参照）が異なる。
【００７８】
寸法Ａは、キャップ５０の左右のキャップ内面５３Ｂの間の長さである。
【００７９】
寸法Ｘは、一対の側壁部４２の外面（左右の把持部外面４２４）の間の長さである。
【００８０】
光ケーブル３の場合、キャップ内面５３Ｂと側壁部４２との間には何も挟まれない。但し、把持部４０Ａは、底壁部４１と一対の側壁部４２による断面略Ｕ字状であるため、一対の側壁部４２の間に光ケーブル３を収容したとき、一対の側壁部４２の間隔（特に上端側）が広がることがある。この場合、寸法Ｘが大きくなるので、寸法Ｘと寸法Ａが同じ設計値であっても、キャップ５０を取り付けることで、一対の側壁部４２を内側に変形させることができる。一方、一対の側壁部４２の間隔が広がらない場合には、キャップ５０で一対の側壁部４２を内側に変形させるには、寸法Ａが寸法Ｘよりもやや小さいことが必要である。
【００８１】
また、光コード６の場合、把持部外面４２４とキャップ内面５３Ｂとの間に繊維状抗張力体８を挟み込むため、繊維状抗張力体８の量に応じて、適切な寸法Ａ，Ｘが異なることになる。
【００８２】
第２嵌合部６２は、キャップ外面５３Ｃとハウジング１３（後側ハウジング１５）の固定部１５２の内面（内壁面１５Ａ）とで構成されている。第２嵌合部６２は、ハウジング１３（後側ハウジング１５）の固定部１５２で把持部材３０を外側から押圧する部位である。
【００８３】
光コード６の場合、第２嵌合部６２により、当該第２嵌合部６２の繊維状抗張力体８を挟み込む力が向上する。また、第１嵌合部６１の繊維状抗張力体８を挟み込む力が向上する。また、第２嵌合部６２の繊維状抗張力体８を挟み込む力が向上する。
【００８４】
また、光ケーブル３の場合、第２嵌合部６２により、把持部材３０（本体部４０）の側壁部４２を内側に圧迫して、側壁部４２の間で外被を挟み込む力が向上する。
【００８５】
なお、光ケーブル（角型光ケーブル３や丸型光ケーブル６）の種類（外形形状）に応じて、第２嵌合部６２の寸法Ｃ，Ｚ（図３Ａ参照）が異なる。
【００８６】
寸法Ｃは、キャップ５０の左右のキャップ外面５３Ｃの間の長さである。寸法Ｃと寸法Ａとの差分の半分が側板部５３の厚さとなる。
【００８７】
寸法Ｚは、固定部１５２の左右の内壁面１５Ａの間の長さである。
【００８８】
光ケーブル３の場合、キャップ外面５３Ｃと固定部１５２の内壁面１５Ａとの間には何も挟まれない。但し、把持部材３０に光ケーブル３を把持させることで寸法Ｃが大きくなる（膨らむ）ことがある。この場合、寸法Ｃと寸法Ｚが同じ設計値であっても、固定部１５２で把持部材３０を外側から押圧することができる。一方、寸法Ｃが変化しない場合、固定部１５２に把持部材３０（キャップ５０）を挿入したときに、固定部１５２で把持部材３０を外側から押圧するには、寸法Ｃが寸法Ｚよりもやや小さいことが必要である。
【００８９】
また、光コード６の場合、キャップ外面５３Ｃと固定部１５２の内壁面１５Ａとの間に繊維状抗張力体８を挟み込むため、繊維状抗張力体８の量に応じて、適切な寸法Ｃ，Ｚが異なることになる。
【００９０】
突き当て部６３（折り返し部）は、本体部４０の段差部４２５とキャップ５０の前端面５０Ｂとで構成されている。突き当て部６３は、本体部４０の段差部４２５とキャップ５０の前端面５０Ｂの間で繊維状抗張力体８を折り返す機能を有している。これにより、繊維状抗張力体８の引き留め力（第１嵌合部６１及び第２嵌合部６２による繊維状抗張力体８の把持力）が向上する。
【００９１】
また、本体部４０の段差部４２５とキャップ５０の前端面５０Ｂとにより繊維状抗張力体８を挟み込んでもよい（押圧してもよい）。この場合、繊維状抗張力体８の引き留め力（第１嵌合部６１及び第２嵌合部６２による繊維状抗張力体８の把持力）がさらに向上する。
【００９２】
なお、光コード６の種類に応じて繊維状抗張力体８の量が異なるため、光コード６の種類に応じて、適切な寸法Ｂ，Ｙが異なる。
【００９３】
寸法Ｂは、キャップ５０の前端面５０Ｂと係合穴５３Aとの間の長さである。
【００９４】
寸法Ｙは、把持部４０Ａの段差部４２５とキャップ用爪部４２２との間の長さである。
【００９５】
光ケーブル３の場合、寸法Ｙが寸法Ｂよりもやや大きければよい（同じくらいでよい）。光コード６の場合、本体部４０の段差部４２５とキャップ５０の前端面５０Ｂの間に繊維状抗張力体８を配置する（あるいは挟み込む）ため、繊維状抗張力体８の量に応じて、適切な寸法Ｂ，Ｙが異なることになる。
【００９６】
よって、光ケーブル（角型光ケーブル３、丸型光ケーブル６）の種類に応じた本体部４０とキャップ５０をそれぞれ用意し、適宜選択して用いるようにすることで、光ケーブルの種類に対する対応性が高くなる。
【００９７】
なお、本実施形態では、光コード６の場合に、繊維状抗張力体８を挟み込む部位（第１嵌合部６１、第２嵌合部６２、突き当て部６３）に、摩擦力を増す、滑り止め剤を塗布している。滑り止め剤としては、例えば、合成樹脂を有機溶剤に混ぜたものを使用できる。滑り止め剤をスプレー等で塗布後、有機溶剤の発揮により残った樹脂が滑り止めの作用を奏する。これにより、繊維状抗張力体８の滑りを防止でき、引き留め力を高めることができる。
【００９８】
＜光コネクタの組立方法１＞
図４Ａ、図４Ｂ、図４Ｃは、丸型光ケーブル６（光コード６）を用いた場合の光コネクタ１００の組立方法の説明図である。なお、図４Ｃ（ｃ）のみ上下を逆にして示している。
【００９９】
本実施形態では、光コネクタ１００の組み立ての際に組立工具７０を使用する。最初に、組立工具７０の構成について簡単に説明する。
【０１００】
組立工具７０は、光コネクタ１００の組み立て時に用いられる工具である。本実施形態の組立工具７０は、光ケーブル３及び光コード６の両方に対応している。組立工具７０は、前側部材８０と後側部材９０とを有する。前側部材８０及び後側部材９０は、回転軸（不図示）を中心にして相対的に回転可能に連結されている。
【０１０１】
前側部材８０は、光ファイバ（光ケーブル３から口出しした光ファイバ４や光コード６から口出しした光ファイバ７）の加工時に、把持部材３０を保持する機能を有する。
【０１０２】
後側部材９０は、光コネクタ本体１０（詳しくは固定部１５２）に把持部材３０を挿入する際に、光ケーブルを保持する機能を有する。光ケーブル３及び光コード６の両方を保持可能である。後側部材９０は、ケーブル保持部９１及び繊維状抗張力体保持部９２を有している。
【０１０３】
ケーブル保持部９１は、光ケーブル（光ケーブル３、光コード６）を挿入して保持する直線溝状の部位である。
【０１０４】
繊維状抗張力体保持部９２は、光コード６の場合に、把持部材３０（本体部４０とキャップ５０との間）から延び出た繊維状抗張力体８を保持する溝状の部位である。繊維状抗張力体保持部９２は、ケーブル保持部９１を挟む左右両側にそれぞれ設けられている。
【０１０５】
以下、図４Ａ、図４Ｂ、図４Ｃを参照しつつ、丸型光ケーブル６（光コード６）を用いた場合の光コネクタ１００の組み立て方法について説明する。
【０１０６】
まず、作業者は、光コード６をキャップ５０の挿通穴５５に差し込む（図４Ａ（ａ））。こうして、光コード６をキャップ５０に挿入する（図４Ａ（ｂ））。
【０１０７】
次に、作業者は、光コード６の先端側（前側）の外被を除去し、光ファイバ７及び繊維状抗張力体８を口出しする（図４Ａ（ｃ））。
【０１０８】
次に、作業者は、光コード６を把持部材３０の本体部４０にセットする（図４Ａ（ｄ））。本体部４０の把持部４０Ａの一対の側壁部４２の間には光コード６の外被の先端部分を収容するとともに、スリット４２３を介して、側壁部４２の内側から側壁部４２の外側に繊維状抗張力体８を出す（図４Ａ（ｅ））。また、本体部４０の挿通部４０Ｂには口出しした光ファイバ７を挿通させる。
【０１０９】
次に、作業者は、キャップ５０を本体部４０の把持部４０Ａに取り付ける（図４Ａ（ｆ））。
【０１１０】
キャップ５０を前側にスライドさせることにより、キャップ５０の係合穴５３Aが、把持部４０Ａのキャップ用爪部４２２と係合し、本体部４０にキャップ５０が固定される。このキャップ５０の取り付けにより、繊維状抗張力体８は本体部４０の把持部外面４２４とキャップ５０のキャップ内面５３Ｂとの間（第１嵌合部６１：図３Ｂ参照）に挟み込まれる。また、繊維状抗張力体８は段差部４２５とキャップ内面５３Ｂとの間（突き当て部６３：図３Ｂ参照）に挟み込まれる。本実施形態では、キャップ５０を前側にスライドさせることにより、本体部４０の把持部外面４２４とキャップ５０のキャップ内面５３Ｂとの間に繊維状抗張力体８を挟み込んでいるので、繊維状抗張力体８をツイストしないように引き留めることができる。
【０１１１】
さらに、作業者は、本体部４０とキャップ５０の間から出た繊維状抗張力体８を後方に（キャップ外面５３Ｃに向けて）折り返す。
【０１１２】
次に、作業者は、光コード６を組立工具７０の後側部材９０に取り付ける（図４Ｂ（ａ））。光コード６は、後側部材９０のケーブル保持部９１に配置し、繊維状抗張力体８は、後側部材９０の繊維状抗張力体保持部９２に配置する（図４Ｂ（ｂ））。なお、このとき、組立工具７０の前側部材８０は、後側部材９０に対して回転されており、下側に傾斜した状態となっている。
【０１１３】
次に、作業者は、前側部材８０を上向きに回転させ（図４Ｂ（ｃ））、前側部材８０に把持部材３０を保持させる。このとき、光コード６から口出しした光ファイバ７が、前側部材８０の前端よりも前に出る。作業者は、その光ファイバ７の端部の被覆を除去し、光ファイバ７の端部をカットする。
【０１１４】
次に、作業者は、前側部材８０を下向きに回転させて把持部材３０から前側部材８０を外す。そして、把持部材３０を光コネクタ本体１０の固定部１５２に挿入する（図４Ｂ（ｄ））。挿入していくと、把持部材３０の爪部４４１が後側ハウジング１５の係止部１５Ｂに引っ掛かり、把持部材３０が光コネクタ本体１０に固定される（図４Ｂ（ｅ））。この把持部材３０の挿入により、光ファイバ７の端部がメカニカルスプライス部１２の開口部１２Ａに挿入され、フェルール１１の内蔵ファイバと突き合わせ接続されることになる。
【０１１５】
また、この挿入により、ハウジング１３（後側ハウジング１５）の固定部１５２の内壁面１５Ａと、キャップ外面５３Ｃとの第２嵌合部６２が形成され、繊維状抗張力体８は、この第２嵌合部６２の間（内壁面１５Ａとキャップ外面５３Ｃとの間）に挟まれる（図３Ｂ参照）。
【０１１６】
次に作業者は、光コネクタ本体１０から介挿部材１９を外す（図４Ｂ（ｆ））。介挿部材１９のくさび（不図示）が引き抜かれることにより、メカニカルスプライス部１２の隙間が閉じ、光コード６の光ファイバ７と内蔵ファイバ（不図示）とが突き合わされた状態で固定される。
【０１１７】
次に作業者は、組立工具７０を取り外し（図４Ｃ（ａ））、光コネクタ本体１０から延び出ている繊維状抗張力体８をカットする（図４Ｃ（ｂ））。これにより、光コネクタ１００の組み立て作業が完了する（図４Ｃ（ｃ））。
【０１１８】
＜光コネクタの組立方法２＞
図５Ａ、図５Ｂは、角型光ケーブル３（光ケーブル３）を用いた場合の光コネクタ１００の組立方法の説明図である。なお、図５Ｂ（ｆ）のみ上下を逆にして示している。
この組立方法においても、組立工具７０を使用する。
【０１１９】
まず、作業者は、光ケーブル３の先端の外被を除去して光ファイバ４を口出しする（図５Ａ（ａ））。そして、光ケーブル３を、キャップ５０の挿通穴５５に差し込んでキャップ５０に挿入する（図５Ａ（ｂ））。
【０１２０】
次に、作業者は、光ケーブル３を本体部４０にセットする（図５Ａ（ｃ））。本体部４０の把持部４０Ａの一対の側壁部４２の間には光ケーブル３の外被の先端部分を収容させる。これにより、一対の側壁部４２の突起部４２１が光ケーブル３の外被に食い込み、光ケーブル３が把持される。なお、このとき、前述したように、一対の側壁部４２の間隔が広がる（図３Ａの寸法Ｘが大きくなる）ことがある。また、挿通部４０Ｂには、口出しした光ファイバ４を挿通させる。
【０１２１】
次に、作業者は、本体部４０の把持部４０Ａにキャップ５０を取り付ける（図５Ａ（ｄ））。キャップ５０を前側にスライドさせることにより、キャップ５０の係合穴５３Aが、把持部４０Ａのキャップ用爪部４２２と係合し、本体部４０にキャップ５０が固定される。このとき、キャップ５０のキャップ内面５３Ｂで、本体部４０の把持部外面４２４が外側から押圧（圧迫）され、一対の側壁部４２が内側に変形する。このため、突起部４２１が光ケーブル３の外被により食い込むようになり（食い込みが大きくなり）、把持力が向上する。特に、光ケーブル３を本体部４０にセットする際に一対の側壁部４２の間隔が広がっていた場合には、キャップ５０をスライドさせたときに、光ケーブル３の外被への突起部４２１の食い込みが大きくなる。なお、キャップ５０を取り付け後、左右のキャップ外面５３Ｃが膨らむ（図３Ａの寸法Ｃが大きくなる）ことがある。
【０１２２】
次に、作業者は、光ケーブル３を組立工具７０の後側部材９０に取り付ける（図５Ａ（ｅ））。光ケーブル３は後側部材９０のケーブル保持部９１に配置させる（図５Ａ（ｆ））。なお、このとき、組立工具７０の前側部材８０は、後側部材９０に対して回転されており、下側に傾斜した状態となっている。
【０１２３】
次に、作業者は、組立工具７０の前側部材８０を上向きに回転させ、前側部材８０に把持部材３０を保持させる（図５Ｂ（ａ））。このとき、光ケーブル３から口出しした光ファイバ４が、前側部材８０の前端よりも前に出る。作業者は、その光ファイバ４の端部の被覆を除去し、光ファイバ４の端部をカットする。
【０１２４】
次に、作業者は、前側部材８０を下向きに回転させて把持部材３０から前側部材８０を外す。そして、把持部材３０を光コネクタ本体１０の固定部１５２に挿入する（図５Ｂ（ｂ））。挿入していくと、把持部材３０の爪部４４１が後側ハウジング１５の係止部１５Ｂに引っ掛かり、把持部材３０が光コネクタ本体１０に固定される固定される（図５Ｂ（ｃ））。この把持部材３０の挿入により、光ファイバ４の端部がメカニカルスプライス部１２の開口部１２Ａに挿入され、フェルール１１の内蔵ファイバと突き合わせ接続されることになる。
【０１２５】
また、この挿入により、ハウジング１３（後側ハウジング１５）の固定部１５２の内壁面１５Ａと、キャップ外面５３Ｃとの第２嵌合部６２が形成され、内壁面１５Ａによって、キャップ５０の側板部５３が内側に押圧される。これにより、把持部４０Ａの一対の側壁部４２がさらに内側に押圧される。よって、光ケーブル３の把持力をさらに向上させることができる。特に、キャップ５０の左右のキャップ外面５３Ｃが膨らんでいる場合であっても、固定部１５２の内壁面１５Ａによって、キャップ５０の左右の側板部５３や把持部４０Ａの一対の側壁部４２が内側に押圧される。本実施形態では、固定部１５２の内壁面１５Ａによる内側への押圧力が小さくても、キャップ５０のキャップ内面５３Ｂで、本体部４０の把持部外面４２４を外側から押圧しているので、十分な把持力を得ることができる。つまり、後側ハウジング１５の固定部１５２の肉厚が薄く、後側ハウジング１５による把持部材３０の押圧力が弱くても、把持部材３０による光ケーブル３の把持力を向上させることができる。
【０１２６】
次に作業者は、光コネクタ本体１０から介挿部材１９を外す（図５Ｂ（ｄ））。介挿部材１９のくさび（不図示）が引き抜かれることにより、メカニカルスプライス部１２の隙間が閉じ、光コード６の光ファイバ７と内蔵ファイバ（不図示）とが突き合わされた状態で固定される。
【０１２７】
次に作業者は、組立工具７０を取り外す（図５Ｂ（ｅ））。これにより、光コネクタ１００の組み立て作業が完了する（図５Ｂ（ｆ））。
【０１２８】
＜小括＞
上記の本実施形態によれば、光コネクタ１００は、光ファイバ７を有する光コード６（光ケーブルに相当）を把持する把持部材３０と、把持部材３０を固定する固定部１５２を有する後側ハウジング１５（ハウジング１３）を備えている。また、把持部材３０は、一対の側壁部４２を有する本体部４０と、本体部４０に取り付けるキャップ５０を有している。一対の側壁部４２には、光コード６の繊維状抗張力体８を内側から外側に出すためのスリット４２３が形成されている。そして、図４Ａ（ｆ）に示すように、本体部４０に対してキャップ５０を前側にスライドさせることによって、側壁部４２の把持部外面４２４（外面に相当）とキャップ５０のキャップ内面５３Ｂ（内面に相当）との間に繊維状抗張力体８を挟み込んだ状態で、本体部４０にキャップ５０を取り付けている（図３Ｂ参照）。これにより、繊維状抗張力体８をツイストさせずに引き留めることができる。
【０１２９】
また、本実施形態によれば、図４Ｂ（ｄ）に示すように、後側ハウジング１５の固定部１５２に対して、把持部材３０を前側にスライドさせることによって、キャップ５０のキャップ外面５３Ｃ（外面に相当）と固定部１５２の内壁面１５Ａ（内面に相当）との間に繊維状抗張力体８を挟み込んだ状態で固定部１５２に把持部材３０を固定している（図３Ｂ参照）。これにより、繊維状抗張力体８の引き留め力を高めることができる。
【０１３０】
また、本実施形態によれば、本体部４０に段差部４２５が形成されており、段差部４２５とキャップ５０の前端面５０Ｂ（端面に相当）との間において、側壁部４２の把持部外面４２４とキャップ５０のキャップ内面５３Ｂとの間で挟まれた繊維状抗張力体８が折り返されて、キャップ５０のキャップ外面５３Ｃと固定部１５２の内壁面１５Ａとの間で繊維状抗張力体８が挟み込まれている。これにより、繊維状抗張力体８の把持力をより高めることができる。
【０１３１】
また、本実施形態によれば、段差部４２５とキャップ５０の前端面５０Ｂとの間において、折り返された繊維状抗張力体８が挟み込まれている。これにより、繊維状抗張力体８の引き留め力をさらに高めることができる。
【０１３２】
また、本実施形態によれば、繊維状抗張力体８を挟み込む部位（第１嵌合部６１、第２嵌合部６２、突き当て部６３）に、摩擦力を増す、滑り止め剤が塗布されている。これにより、繊維状抗張力体８の滑りを防止でき、引き留め力を高めることができる。
【０１３３】
また、本実施形態によれば、把持部材３０の本体部４０はキャップ用爪部４２２（キャップ用固定部に相当）を有し、キャップ５０はキャップ用爪部４２２と係合する係合穴５３Ａ（キャップ用固定部に相当）を有している。これにより、側壁部４２の把持部外面４２４とキャップ５０のキャップ内面５３Ｂとの間に繊維状抗張力体８を挟み込んだ状態で本体部４０とキャップ５０とを固定することができる。
【０１３４】
また、本実施形態によれば、本体部４０は爪部４４１（係合部に相当）を有し、後側ハウジング１５は爪部４４１と係合する係止部１５Ｂ（係合部に相当）を有している。これにより、本体部４０と後側ハウジング１５を固定することができる。
【０１３５】
また、本実施形態によれば、一対の側壁部４２の内面に、内側に突出する突起部４２１が形成されている。これにより、光コード６を一対の側壁部４２の間に収容したときに、光コード６の外被に突起部４２１を食い込ませることができ、概ね固定することができる。特に、光ケーブル３の場合に把持力を高めることができる。
【０１３６】
＝＝＝第２実施形態＝＝＝
図６は、第２実施形態のキャップ５０の構成の説明図である。
【０１３７】
第２実施形態では、把持部材３０（本体部４０）に対して、４つのキャップ５０（５０１〜５０４とする）が用意されている。この４つのキャップ５０（５０１〜５０４）は、例えば樹脂による一体成形にて形成されており、切り離して使用することができる。
【０１３８】
各キャップ５０（５０１〜５０４）は、光ケーブル３や光コード６の種類（外形）に応じて形状（前述の寸法Ａ，Ｂ，Ｃ）や挿通穴５５の大きさなどが定められている。
【０１３９】
例えば、本実施形態の場合、キャップ５０１は、３．１×２．０ｍｍの角型光ケーブル３に適合し、キャップ５０２は２．０×１．６ｍｍの角型光ケーブル３に適合している。また、キャップ５０３は、直径２ｍｍの丸型光ケーブル６（光コード６）に適合し、キャップ５０４は、直径３ｍｍの丸型光ケーブル６に適合している。
【０１４０】
作業者は、光コネクタ１００に用いる光ケーブル（光ケーブル３、光コード６）に対応したものを選択して使用することができる。
【０１４１】
このように、形状の異なる複数（ここでは４つ）のキャップ５０を一体成形によって形成することにより、光ケーブルの種類に対する対応性を高めることができ、また、コストを低減することができる。
【０１４２】
＝＝＝第３実施形態＝＝＝
図７は、第３実施形態の把持部材３０の説明図である。
【０１４３】
前述したように本実施形態の光コネクタ１００は小型のＬＣ形光コネクタであるので、把持部材３０に用いられるキャップ５０は非常にサイズが小さい。このためキャップ５０を紛失するおそれがある。
【０１４４】
そこで、第３実施形態では、図７に示すように、把持部材３０の本体部４０とキャップ５０とを予め連結部３２で連結している。光コネクタ１００の組み立て時には、連結部３２を切断して、本体部４０とキャップ５０を切り離す。
これにより、キャップ５０を紛失しにくくすることができる。
【０１４５】
＝＝＝第４実施形態＝＝＝
前述の光コネクタ１００では、キャップ５０は把持部材３０の本体部４０に固定され、キャップ５０の固定された本体部４０（把持部材３０）がハウジング１３（後側ハウジング１５の固定部１５２に固定されていた。但し、キャップ５０が把持部材３０の本体部４０に直接固定されていなくても良い。
【０１４６】
例えば、ハウジング１３（後側ハウジング１５）の固定部１５２にキャップ用係合穴（キャップ用固定部に相当）が形成され、キャップ５０の側板部５３の外面にキャップ側爪部（キャップ用固定部に相当）が形成されていてもよい。そして、キャップ用係合穴にキャップ側爪部が係合することによって、把持部材３０（本体部４０及びキャップ５０）がハウジング１３の固定部１５２に固定されても良い。
【０１４７】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１４８】
＜把持部材３０について＞
前述の把持部材３０は、角型光ケーブル３と丸型光ケーブル６（光コード６）の両方を把持可能に構成されている。但し、把持部材３０は、丸型光ケーブル６を把持可能であるが、角型光ケーブル３を把持できない構成でも良い。
【０１４９】
また、前述の把持部材３０は、複数種類の丸型光ケーブル６を把持可能に構成されているが、特定種類の丸型光ケーブル６だけに対応するような形状であっても良い。
【符号の説明】
【０１５０】
３  光ケーブル（角型光ケーブル）、４  光ファイバ、
６  光コード（丸型光ケーブル）、７  光ファイバ、８  繊維状抗張力体、
１０  光コネクタ本体、１１  フェルール、
１２  メカニカルスプライス部、１２Ａ  開口部、１３  ハウジング、
１４  前側ハウジング、１４Ａ  前側収容部、
１５  後側ハウジング、１５Ａ  内壁面、１５Ｂ  係止部、
１６  スプリング、１９  介挿部材、
３０  把持部材、３２  連結部、
４０  本体部、４０Ａ  把持部、４０Ｂ  挿通部、
４１  底壁部、４２  側壁部、４４  側壁部、
５０  キャップ、５０Ａ  筒部、５０Ｂ  前端面、５０Ｃ  後板部、
５１  上板部、５２  底板部、５３  側板部、
５３Ａ  係合穴、５３Ｂ  キャップ内面、５３Ｃ  キャップ外面、
５５  挿通穴、
６１  第１嵌合部、６２  第２嵌合部、６３  突き当て部（折り返し部）、
７０  組立工具、８０  前側部材、９０  後側部材、
９１  ケーブル保持部、９２  繊維状抗張力体保持部、
１００  光コネクタ、
４２１  突起部、４２２  キャップ用爪部、４２３  スリット、
４２４  把持部外面、４２５  段差部、
４４１  爪部、
５０１，５０２，５０３，５０４  キャップ
【図１】
2019086571.tif 000003
【図２】
2019086571.tif 000004
【図３】
2019086571.tif 000005
【図４Ａ】
2019086571.tif 000006
【図４Ｂ】
2019086571.tif 000007
【図４Ｃ】
2019086571.tif 000008
【図５Ａ】
2019086571.tif 000009
【図５Ｂ】
2019086571.tif 000010
【図６】
2019086571.tif 000011
【図７】
2019086571.tif 000012